(57)【要約】    【課題】  目地部のひび割れ。    【構成】  建築物の外壁又は内壁に突合せて打付けた壁面材１、１の目地部３の表面側に縦糸７と横糸８により単層の網状に形成したテープ６を接着し、前記テープ６の表面にパテ類は塗らずに弾性塗材１５を前記テープ６の網目１６が隠蔽される程度の厚さに塗布し、塗布された弾性塗材１５は、前記テープ６のの縦糸７と横糸８により形成された各網目１６内に充填されて空隙ブロックＡを形成すると共に、縦糸７と横糸８の表面側の弾性塗材１５が連結結合して膜状体Ｂになり、前記空隙ブロックＡと前記膜状体Ｂが一体化して結合して、塗布後所定時間経過すると、乾燥ゲル化した弾性塗料層の塗膜を形成するように構成した目地処理方法。【選択図】    図１
2005325627.tif 000002
【特許請求の範囲】
【請求項１】
建築物の外壁又は内壁に壁面材１、１を突合せて打付け、該壁面材１、１の合せ部２の端面は略直角形状に形成してハ状又はＶ状に広がる目地溝を有しない目地部３を形成し、該目地部３の表面側に縦糸７と横糸８により単層の網状に形成したテープ６を接着し、前記テープ６の表面にパテ類は塗らずに弾性塗材１５を前記テープ６の網目１６が隠蔽される程度の厚さに塗布し、塗布された弾性塗材１５は、前記テープ６のの縦糸７と横糸８により形成された各網目１６内に充填されて空隙ブロックＡを形成すると共に、縦糸７と横糸８の表面側の弾性塗材１５が連結結合して膜状体Ｂになり、前記空隙ブロックＡと前記膜状体Ｂが一体化して結合して、塗布後所定時間経過すると、乾燥ゲル化した弾性塗料層の塗膜を形成するように構成した目地処理方法。
【請求項２】
請求項１において、前記テープ６と前記弾性塗材１５は、前記テープ６の各網目１６の大きさと弾性塗材１５の粘度とを、相対的に各網目１６に前記弾性塗材１５による空隙ブロックＡが形成されるように構成した目地処理方法。
【請求項３】
請求項１または請求項２において、前記テープ６は、縦糸７と横糸８とに感圧粘着剤１０を全面塗布又は含浸させた目地処理方法。
【請求項４】
建築物の外壁又は内壁に打付けた壁面材１、１の合せ部２の表面側に形成された目地部３の表面側に貼着する、単層の縦糸７と横糸８により網状のテープ本体９を形成し、該テープ本体９は感圧粘着剤１０に含浸させ、前記テープ本体９の表面側には該テープ本体９より幅の広い剥離紙を貼着し、前記テープ本体９はテープ本体９の表面側に弾性塗材１５を塗布したとき、テープ本体９の各網目１６に前記弾性塗材１５による塗膜を形成するように構成した目地処理テープ。
【請求項５】
請求項４において、前記テープ本体９と前記弾性塗材１５は、前記テープ本体９の各網目１６の大きさと弾性塗材１５の粘度とを、相対的に各網目１６に前記弾性塗材１５による塗膜を形成するように構成した目地処理テープ。
【発明の詳細な説明】
【技術分野】
【０００１】
本発明は、目地処理方法および目地処理テープに関するものである。
【背景技術】
【０００２】
従来の目地処理方法は、図７のような構成であり、壁面材ａと壁面材ａとの合せ部ｂの目地部ｃの表面にテープｄを接着した後、テープｄの網目を通して、石膏ボード用目地処理材であるパテｅをヘラで数回塗って充填してから、更に表面に仕上パテｆを塗って仕上げしていた（特許文献１）。
【特許文献１】実開昭５１−１２３３４号公報
【発明の開示】
【発明が解決しようとする課題】
【０００３】
前記公知例では、テープｄが粘着剤ｇにより壁面材ａに固定されるので、壁面材ａへのパテｅ接着作業とパテｅ扱き作業とを一工程にしているが、そのため、テープｄの表側の編み目から目地部にジョイントセメントまたはパテｅを擦り込むことになり、擦り込むときの圧力がテープｄの接着力より大きくなることで、テープｄの中央部が目地部の奥側に撓むことになり、この撓み分が「弛み」となり、テープｄに弛みがあるとテープｄの補強効果が失われ、目地部の左右の壁面材ａに開きが生じ、その分テープｄの弛みが目地部の上側に移動し、このテープｄの移動に対して固く硬化しているジョイントセメントまたはパテｅは追随できないのでひび割れＸが発生するという課題がある。
即ち、テープを継ぎ目表面に貼着し、パテで塗り固め固着することによって、下地材の継ぎ目に開きが生じないようにしているが、前記パテは水量が重量比で３０％含有し、更に樹脂を含有しているから、乾燥収縮すると塗厚の約３０％近く痩せること、また、テープｄは縦糸と横糸は伸びがない寸法安定性を特性として網目状に平織に形成されているので、縦糸と横糸の交叉部は結束されていないため目ずれが生じること、また、パテ自体も不陸調整塗材であるので、弾性が無く、下地の挙動に追従できないこと等の種々の要因が複合的に作用して、ひび割れという課題が発生する。
本願は、継ぎ目部分の開きを表面に露出させないために、目地処理方法を工夫したものである。
【課題を解決するための手段】
【０００４】
本発明は、建築物の外壁又は内壁に壁面材１、１を突合せて打付け、該壁面材１、１の合せ部２の端面は略直角形状に形成してハ状又はＶ状に広がる目地溝を有しない目地部３を形成し、該目地部３の表面側に縦糸７と横糸８により単層の網状に形成したテープ６を接着し、前記テープ６の表面にパテ類は塗らずに弾性塗材１５を前記テープ６の網目１６が隠蔽される程度の厚さに塗布し、塗布された弾性塗材１５は、前記テープ６のの縦糸７と横糸８により形成された各網目１６内に充填されて空隙ブロックＡを形成すると共に、縦糸７と横糸８の表面側の弾性塗材１５が連結結合して膜状体Ｂになり、前記空隙ブロックＡと前記膜状体Ｂが一体化して結合して、塗布後所定時間経過すると、乾燥ゲル化した弾性塗料層の塗膜を形成するように構成した目地処理方法としたものである。
本発明は、前記テープ６と前記弾性塗材１５は、前記テープ６の各網目１６の大きさと弾性塗材１５の粘度とを、相対的に各網目１６に前記弾性塗材１５による空隙ブロックＡが形成されるように構成した目地処理方法としたものである。
本発明は、前記テープ６は、縦糸７と横糸８とに感圧粘着剤１０を全面塗布又は含浸させた目地処理方法としたものである。
本発明は、建築物の外壁又は内壁に打付けた壁面材１、１の合せ部２の表面側に形成された目地部３の表面側に貼着する、単層の縦糸７と横糸８により網状のテープ本体９を形成し、該テープ本体９は感圧粘着剤１０に含浸させ、前記テープ本体９の表面側には該テープ本体９より幅の広い剥離紙を貼着し、前記テープ本体９はテープ本体９の表面側に弾性塗材１５を塗布したとき、テープ本体９の各網目１６に前記弾性塗材１５による塗膜を形成するように構成した目地処理テープとしたものである。
本発明は、前記テープ本体９と前記弾性塗材１５は、前記テープ本体９の各網目１６の大きさと弾性塗材１５の粘度とを、相対的に各網目１６に前記弾性塗材１５による塗膜を形成するように構成した目地処理テープとしたものである。
【発明の効果】
【０００５】
請求項１の発明では、テープ６と弾性塗材１５は、強力で弾性変形能力を有する空隙ブロックＡとテープ６の表面側の膜状体Ｂが連結されているので、目ずれによる伸びがなく、目地部３の挙動による網目１６の変形に柔軟に追従し、目地部３の開きを隠蔽し、従来のパテのように網目１６内で収縮剥離を生じたり、目地部３に添って塑性破壊したり、直線状のひび割れが弾性塗材１５の表面に塗布した仕上げ塗装２０に露出しない。
請求項２の発明では、弾性塗材１５がテープ６の表面に柔軟な塗装膜層を形成し、目地部３の開きを隠蔽する。
請求項３の発明では、ひび割れの原因となるテープ６の縦糸７と横糸８との目ずれを防止するので、テープ６の伸びがなく、目地部３の挙動による網目１６の変形に柔軟に追従する。
請求項４および請求項５の発明では、弾性塗材１５より柔軟な塗装膜層を形成するためのテープ６を提供できる。
【実施例】
【０００６】
本発明の方法を実施する構造を図において説明すると、１はプラスターボード、軽量気泡コンクリート板、セメント押出し成形板、石綿スレート板、珪酸カルシウム板、プレキャストコンクリート板、その他で構成される壁面材であり、建築物の外壁又は内壁に壁面材１、１を突合せて打付けると、壁面材１、１の合せ部２の表面側に目地部３が形成される。
前記壁面材１の合せ部２の表面側の端縁形状は任意であるが、従来のようなハの字状又はＶ字状に広がる目地溝は形成しないので、工数工程が省略されて好適である。
【０００７】
しかして、目地部３にはテープ６を接着する。テープ６は、ガラス繊維により縦糸７と横糸８を織って網目状のテープ本体９を有して構成する。テープ本体９の縦糸７と横糸８は該テープ本体９を感圧粘着剤１０にデップされて形成したテープ粘着層を形成し、テープ本体９の表面側に剥離紙１１が粘着固定しうるように構成する。
剥離紙１１はテープ本体９と同一幅または幅広く形成する。前記感圧粘着剤１０は、耐水形アクリル系、ゴム、ポリエチレン、ウレタン、その他感圧性接着剤を用い、常温で壁面材に接着するものである。
【０００８】
テープ６は、感圧粘着剤１０が内側（壁面側）となるようにしてテープ本体９ごと普通のセロファンテープのようにロール１２状に巻回し、一端より引伸ばしながら壁面に接着させ、接着後剥離紙１１を剥離させて使用する。網状の単体でテープ本体９を構成した場合、剥離紙１１を有するものと有しないものがある。
【０００９】
しかして、壁面材１の目地部３に貼着させたテープ６の表面側には、上から弾性塗材１５を充填塗布する。弾性塗材１５は、貼着したテープ本体９の表面上にゾル状態（流動性と粘性を有する液体状）でローラー刷毛で、テープ本体９の縦糸７と横糸８により形成された各網目１６が隠蔽される程度の厚さに塗布する。塗布された弾性塗材１５は、テープ本体９の縦糸７と横糸８により形成された各網目１６内に充填されて空隙ブロックＡを形成すると共に、テープ本体９の表面側の弾性塗材１５が連結結合して膜状体Ｂになり、空隙ブロックＡと膜状体Ｂが一体化して結合して、塗布後所定時間経過すると、乾燥ゲル化（乾燥した塗装膜）し、弾性塗材１５の層を形成する。
【００１０】
この空隙ブロックＡと膜状体Ｂは、テープ本体９の縦糸７と横糸８の目ずれ防止も兼ねてデップ（含浸）した感圧粘着剤１０を介しても結合する。
即ち、テープ本体９と弾性塗材１５は、テープ本体９の感圧粘着剤１０を介在して伸びがなく柔軟なＦＲＰ状の弾性帯となって壁面材１の目地部３を隠蔽する。
この合成されたテープ本体９と弾性塗材１５は、強力で弾性変形能力を有する空隙ブロックＡとテープ本体９の表面側の膜状体Ｂが連結されているので、目ずれによる伸びがなく、ＦＲＰ状に強化されているので、継ぎ目の挙動による網目１６の変形に柔軟に追従し、目地部３の開きを隠蔽し、従来のパテのように網目１６内で収縮剥離を生じたり、目地部３に添って塑性破壊したり、直線状のひび割れが後述する弾性塗材１５の表面に塗布した仕上げ塗装２０に露出しない。
【００１１】
この場合、弾性塗材１５の伸び能力を発揮させる主成分は、原料に添加させる可塑剤でなく、樹脂によるものが好適である。弾性塗材１５は、エポキシ樹脂系、変成アクリルエマルション系、アクリルウレタン系、シリコン系シロキサン（ｓｉｏ）で結合されたものであり、テープ本体９を構成するガラス繊維と密着が良好で付着力が強いものを選定する。
また、弾性塗材１５は、乾燥ゲル状態で硬化しても軟らかく柔軟性のあるものが好適であり、乾燥ゲル状態になったとき硬く硬化してしまうものはテープ本体９の網目１６の変形や繊維の伸びを阻害し、自由度を失うので破断につながる。
【００１２】
即ち、テープ本体９のガラス製繊維は引張り強さは大であるが、剪断には弱いので、乾燥ゲル状態になったとき硬く硬化する弾性塗材１５の場合、目地部３の開きが剪断力となって作用して破断につながるのである。
また、弾性塗材１５はゾル状態のとき、粘性が高ければ高いほど表面張力が高くなり、空隙ブロックＡと膜状体Ｂの造膜が良好に行われる。
各網目１６の平面形状は、球形に近い平行四辺形にすると、網目１６に充填される弾性塗材１５の内部応力による変形や歪みと、目地部３のテープ本体９に加わる外力の目地ずれ変位角に、最もバランス良く有効に追従緩和分散性能を良好にでき、好適である（図５）。
【００１３】
網目１６の寸法と弾性塗材１５の空隙ブロックＡの内部歪みによる大きさ、並びに、目地部３のテープ本体９に加わる外力の目地ずれ変形追従緩和分散性能との関係は、網目１６の一辺の距離の二乗に反比例して空隙ブロックＡの内部歪みが小さくなり、変形追従緩和分散性能も高まるので、網目１６の一辺の距離を１／２に短くすると、変形追従緩和分散性能は４倍に向上する。
一例を示すと、通常、継ぎ目処理後の仕上表面に盛り上がりが生じさせないことを考慮し、テープ本体９の厚さを０．１ｍｍ以内、網目１６の一辺寸法を０．３ｍｍ以内が好適である。
【００１４】
テープ本体９にローラ刷毛で弾性塗材１５を塗布すると、表面張力効果により網目厚さの略２倍の塗装厚さ略０．２ｍｍ程度の弾性塗材１５がテープ本体９に付着し、一定時間後略７０％乾燥ゲル化し、略０．１５ｍｍ程度の膜となって残るので、網目１６の一辺寸法とテープ本体９の縦糸７および横糸８の厚さは、弾性塗材１５の表面張力効果によりテープ本体９の表面を隠蔽するだけの必要十分条件となる。
また、テープ本体９に弾性塗材１５をローラー１回塗りで塗装厚さ０．２ｍｍ程度塗布されると、テープ本体９のガラス繊維製は弾性塗材１５の樹脂の吸引が大きくなるため、弾性塗材１５の顔料が表面に残るドライアウト現象となり、弾性塗材１５の表面張力効果を阻害するが、テープ６は、テープ本体９の縦糸７と横糸８を感圧感圧粘着剤１０を０．０５ｍｍ程度デップ（含浸）させているので、テープ本体９全体に弾性塗材１５の樹脂が浸透することがなく、表面張力効果を促進し、空隙ブロックＡと膜状体Ｂを連続結合させて容易に造膜させる。変成アクリルエマルション系の弾性塗材１５の場合でも、乾燥ゲル状態で略０．１５ｍｍ程度の膜が形成されるので、一辺寸法０．３ｍｍ角の網目１６と０．１ｍｍ厚さの空隙ブロックＡを充填結合すると、テープ本体９の表面を伸びのある強い塗装膜で隠蔽する。
【００１５】
しかして、弾性塗材１５の表面にはパテ２１を塗布し、パテ２１の表面に仕上げ塗装２０を施す。パテ２１は、仕上げ塗装２０のローラー刷毛塗装むらを消す程度に０．１〜０．１５ｍｍ程度に極薄く塗布する。したがって、万一仕上げ塗装２０にパテ２１のひび割れが生じた場合でも、ひび割れの割れ幅（開き幅）は塗装厚さに比例するため、パテ塗装厚さのに０．１〜０．１５ｍｍ以下であり、外観上目立たない。
【００１６】
次に実施例の作用を述べる。
建築物の外壁又は内壁に、壁面材１と壁面材１の互いの端面を突合せて打付けると、壁面材１と壁面材１の合せ部２の表側の目地部３の表面にロール１２状にしたテープ６を引き出して当接させると、簡単に引出されて当接される。
テープ６のテープ本体９の裏面側には感圧粘着剤１０が塗布（含浸）されているので、テープ６は剥離紙１１と共にロール１２から引き出すと、そのまま壁面材１、１に接着することができ、その後剥離紙１１を剥離させればよい。
【００１７】
しかして、テープ６は、ガラス繊維により縦糸７と横糸８を織って網目状テープ本体９を有して構成し、テープ本体９の縦糸７と横糸８は感圧粘着剤１０にデップ（含浸）されて形成しているから、縦糸７と横糸８との各交叉部分が感圧粘着剤１０により結合されて目地部３に貼着させたときおよび貼着後、交叉部分の目ずれは生じない。
壁面材１の目地部３に貼着させたテープ６の表面側には、上から弾性塗材１５を充填塗布する。
【００１８】
弾性塗材１５は、貼着したテープ本体９の表面上にゾル状態（流動性と粘性を有する液体状）でテープ本体９の網目１６が隠蔽される程度の厚さに塗布する。
塗布された弾性塗材１５は、テープ本体９の縦糸７と横糸８により形成された各網目１６内に充填されて空隙ブロック空隙ブロックＡを形成すると共に、テープ本体９の表面側（縦糸７と横糸８より上方部分）の弾性塗材１５が連結結合して膜状体Ｂになるから、塗布後所定時間経過すると、空隙ブロックＡと膜状体Ｂが一体化して結合して、乾燥ゲル化（乾燥した塗装膜）し、弾性塗材１５の層を形成する。
【００１９】
テープ本体９と弾性塗材１５は、夫々が合成されて、剪断力にテープ本体９が強い力で対向し、弾性塗材１５が弾性変形して弾性変形能力を発揮し、継ぎ目の挙動による網目１６の変形に柔軟に追従し、目地部３の開きを隠蔽する。
即ち、従来の目地処理方法では、目地部３にパテを充填しているので、網目１６内のパテの収縮剥離が生じて目地部３に添って塑性破壊し、これが原因で直線状にひび割れして表面に塗布した仕上げ塗装２０に露出するが、本願では、弾性塗材１５は網目１６内に充填され、テープ本体９は感圧粘着剤１０にデップ（含浸）されているので、縦糸７と横糸８の目ずれがないこと、弾性塗材１５はパテと相違して弾性を有するので塑性破壊しないことから、弾性塗材１５自体ひび割れせず、表面に塗布した仕上げ塗装２０がひび割れすることはない。
【００２０】
また、弾性塗材１５はゾル状態のときの粘性が高ければ高いほど表面張力が高くなり、空隙ブロックＡと膜状体Ｂの結合による造膜が良好に行われ、テープ本体９に弾性塗材１５を塗布したとき表面張力効果により網目厚さの略２倍の塗装厚さ略０．２ｍｍ程度の弾性塗材１５が、一定時間後略７０％乾燥ゲル化し、略０．１５ｍｍ程度の膜となって残るから、０．１ｍｍの厚さのテープ本体９を十分に隠蔽できる。
【００２１】
しかして、テープ６は、テープ本体９の縦糸７と横糸８を感圧感圧粘着剤１０を０．０５ｍｍ程度デップ（含浸）させているので、テープ本体９全体に弾性塗材１５の樹脂が浸透することがなく、表面張力効果を促進するから、テープ本体９に弾性塗材１５をローラー１回塗りで塗装厚さ０．２ｍｍ程度塗布されると、弾性塗材１５の表面張力効果により空隙ブロックＡと膜状体Ｂを連続結合させて容易に造膜させる。
【００２２】
この場合、網目１６の一辺寸法とテープ本体９の縦糸７および横糸８の厚さは、相対的に決定されるが、変成アクリルエマルション系の弾性塗材１５の場合でも、乾燥ゲル状態で略０．１５ｍｍ程度の膜が形成されるので、一辺寸法０．３ｍｍ角の網目１６と０．１ｍｍ厚さの空隙ブロックＡを充填結合すると、テープ本体９の表面を伸びのある強い塗装膜で隠蔽するから、網目１６の一辺寸法を０．３ｍｍ以内、空隙ブロックＡの厚さ０．１ｍｍ以内が好適である。
【００２３】
しかして、弾性塗材１５の表面には、仕上げ塗装２０のローラー刷毛塗装むらを消す程度に０．１〜０．１５ｍｍ程度に極薄くパテパテ２１を塗布し、ひび割れの割れ幅（開き幅）は塗装厚さに比例するから、万一仕上げ塗装２０にパテ２１のひび割れが生じた場合でも、ひび割れはパテ２１の塗装厚さの０．１〜０．１５ｍｍ以下であり、外観上目立たない。
なお、上記実施例において、「層」とは厚みのあるものが重なった状態を指し、弾性塗材１５の「層」とは、網目１６内の空隙ブロックＡの表側に膜状体Ｂが重なった状態を意味し、また、膜状体Ｂの「膜」は、壁面材１の表面を被覆した状態を指したものであるが、これらの表現により構成が限定されるものではない。
【図面の簡単な説明】
【００２４】
【図１】壁面材を付き合わせた断面図。
【図２】テープの製造状態の一例を示す図。
【図３】テープの網目に弾性塗材を充填した状態の一例を示す正面図。
【図４】図３のテープの断面図。
【図５】テープの表面に弾性塗材を充填塗布した状態の一例を示す正面図。
【図６】目地部を基準に壁面材が離れた状態の断面図。
【図７】従来例の壁面材が離れて目地部にひびが生じた状態の断面図。
【符号の説明】
【００２５】
１…壁面材、２…合せ部、３…目地部、６…テープ、７…縦糸、８…横糸、９…テープ本体、１０…感圧粘着剤、１１…剥離紙、１２…ロール、１５…弾性塗材、１６…網目、２０…仕上げ塗装、２１…パテ、Ａ…空隙ブロック、Ｂ…膜状体。
【図１】
2005325627.tif 000003
【図２】
2005325627.tif 000004
【図３】
2005325627.tif 000005
【図４】
2005325627.tif 000006
【図５】
2005325627.tif 000007
【図６】
2005325627.tif 000008
【図７】
2005325627.tif 000009